(57)【要約】  本発明のコルセット付きガードルは、ガードル１と、ガードル１の腰部分に固定され、使用者の腰部を支持する機能を有するコルセット２１と、ガードル１の股部分７を開放可能とする第１の開放機構９ａ，９ｂと、コルセット２１を装着・開放可能とする第２の開放機構２３，２５とを備える。
2010071170.tif 000002
【特許請求の範囲】
【請求項１】
ガードルと、
前記ガードルの腰部分に固定され、使用者の腰部を支持する機能を有するコルセットと、
前記ガードルの股部分を開放可能とする第１の開放機構と、
前記コルセットを装着・開放可能とする第２の開放機構とを備えた、コルセット付きガードル。
【請求項２】
前記コルセットは、その中央部が前記ガードルの背面中央部と一致するように前記ガードルに固定される、請求項１に記載のコルセット付きガードル。
【請求項３】
前記第２の開放機構は、前記コルセットの左右端部に設けられる、付け外しが可能な固定部材である、請求項１又は請求項２に記載のコルセット付きガードル。
【請求項４】
前記固定部材は、面状ファスナであり、
前記ガードルには、前記面状ファスナのフック状に起毛された側が引っ掛かりやすい部分があり、
前記面状ファスナのフック状に起毛された部分は、前記引っ掛かりやすい部分に接触しないように取付けられる、請求項３に記載のコルセット付きガードル。
【請求項５】
前記面状ファスナのフック状に起毛された側が引っ掛かりやすい部分は、糸を編むことによって形成された模様部分である、請求項４に記載のコルセット付きガードル。
【請求項６】
前記コルセットの中央部分又は中央部分の両脇には、その使用者の腰を支持するための支持部材が取り付けられている、請求項１から請求項５のいずれかに記載のコルセット付きガードル。
【請求項７】
前記支持部材は、前記コルセットに固定される袋状部材に出し入れ可能に収納されている、請求項６に記載のコルセット付きガードル。
【請求項８】
前記コルセットの上端が前記ガードルの上端よりも下方に位置するように前記コルセットが前記ガードルに固定されている、請求項１から請求項７のいずれかに記載のコルセット付きガードル。
【請求項９】
前記第１の開放機構は、前記ガードルの股部分に設けられたホックである、請求項１から８のいずれかに記載のコルセット付きガードル。
【発明の詳細な説明】
【技術分野】
【０００１】
この発明はコルセット付きガードルに関し、使用者がガードルを装着した状態でコルセットを開放状態とすることができるコルセット付きガードルに関する。
【背景技術】
【０００２】
従来より、体型を補整して身体のラインを美しく見せるためのガードルが存在する。【０００３】
下記特許文献１には、前身頃及び後身頃と、これらを繋ぐ股部片とから構成されたガードルが開示されている。
【先行技術文献】
【特許文献】
【０００４】
【特許文献１】特開２００８−２１４７８１号公報
【発明の概要】
【発明が解決しようとする課題】
【０００５】
腰痛、ぎっくり腰、ヘルニアなどを罹患することにより、患部である腰を動かさない方が良い場合（あるいは動かさない方が患者にとって楽である場合）に、医療用のコルセットが用いられている。コルセットにより患部である腰が固定され、また腰が支えられるため、患者（コルセット使用者）にとって活動が楽になるという効果がある。【０００６】
しかしながらコルセットを装着した患者は、トイレにて用を足すとき、コルセットを取り外す必要がある。取り外されたコルセットは近くに置くか、引っかけておくかする必要があるが、それに適した場所がない場合、不便である。【０００７】
またコルセットは、腰を支持する機能を有するが、長く装着することによって腰の筋肉が弱くなる恐れがある。また、コルセットで腰を締め付けることによって血流が悪くなってしまうこともある。このため、長い間のコルセットの装着は避けた方が良い。すなわちコルセットは、必要に応じてこまめに緩めたり、装着したり外したりすることが望ましい。【０００８】
しかしながら、コルセットを緩めて外した場合、患者はコルセットを持ち運ぶ必要がある。コルセットは嵩張ることが多いため、持ち運ぶのには不便である。一方、外したコルセットを自宅などに置いたまま外出すると、必要となったときに不便である。【０００９】
本発明は、上述の問題点を解決するためになされたものであり、その使用者にとって快適なコルセット付きガードルを提供することを目的としている。【００１０】
なお、本願におけるコルセットとは、補正下着を意味するのではなく、腰痛、ぎっくり腰、ヘルニアなどの場合に、腰への負担を軽減する目的で使用される装具を意味する。
【課題を解決するための手段】
【００１１】
上記目的を達成するためこの発明のある局面に従うと、コルセット付きガードルは、ガードルと、ガードルの腰部分に固定されるコルセットと、ガードルの股部分を開放可能とする第１の開放機構と、コルセットを装着・開放可能とする第２の開放機構とを備える。【００１２】
好ましくはコルセットは、その中央部がガードルの背面中央部と一致するようにガードルに固定される。【００１３】
好ましくは第２の開放機構は、コルセットの左右端部に設けられる、付け外しが可能な固定部材である。【００１４】
好ましくは固定部材は、面状ファスナであり、ガードルには、面状ファスナのフック状に起毛された側が引っ掛かりやすい部分があり、面状ファスナのフック状に起毛された部分は、引っ掛かりやすい部分に接触しないように取付けられる。【００１５】
好ましくは面状ファスナのフック状に起毛された側が引っ掛かりやすい部分は、糸を編むことによって形成された模様部分である。【００１６】
好ましくはコルセットの中央部分又は中央部分の両脇には、その使用者の腰を支持するための支持部材が取り付けられている。【００１７】
好ましくは支持部材は、コルセットに固定される袋状部材に出し入れ可能に収納されている。【００１８】
好ましくはコルセットの上端がガードルの上端よりも下方に位置するようにコルセットがガードルに固定されている。【００１９】
好ましくは第１の開放機構は、ガードルの股部分に設けられたホックである。
【発明の効果】
【００２０】
これらの発明によると、その使用者にとって快適なコルセット付きガードルを提供することが可能となる。
【図面の簡単な説明】
【００２１】
【図１】本発明の実施の形態の１つにおけるコルセット付きガードルの正面図である。
【図２】図１のコルセット付きガードルの背面図である。
【図３】図１のコルセット付きガードルの右側面図である。
【図４】図１のコルセット付きガードルの平面図である。
【図５】図１のコルセット付きガードルの底面図である。
【図６】ガードル１の股部分７のホック９ａを外すことにより、ガードル１の股部分７を開放した状態を示す図である。
【図７】コルセット２１を腰部分に巻きつけて固定した状態を示す図である。
【図８】本発明の実施の形態の１つにおけるコルセット付きガードルの背面図である。
【図９】本発明の実施の形態の１つにおけるコルセット付きガードルの背面図である。
【図１０】本発明の実施の形態の１つにおけるコルセット付きガードルの背面図である。
【図１１】本発明の実施の形態の１つにおけるコルセット付きガードルの正面図である。
【発明を実施するための形態】
【００２２】
［第１の実施の形態］
図１は、本発明の第１の実施の形態におけるコルセット付きガードルの正面図であり、図２は背面図である。また図３〜５はそれぞれ、図１における右側面図、平面図、および底面図を示す。左側面図は右側面図と同一（対称）に現れる。
【００２３】
コルセット付きガードルは、使用者のヒップ・腰部分に着用されるガードル１と、使用者の腰部分に巻きつくことができるコルセット２１とから構成される。コルセット２１は、ガードル１の背面部分（腰部分）に縫合、接着などにより固定される。また、ガードルの背面部に布などを縫製することで筒状部分を形成し、その中にコルセットを通すことでコルセットをガードルの腰部に係合させることとしてもよい。
【００２４】
ガードル１の正面には、レース３などの模様が付与されている。その股部分７の左右に、使用者の左右の足を通すための穴５ａ，５ｂが設けられている。また、使用者の胴を通す穴１１が設けられている。股部分７にはホック（スナップボタン）９ａが設けられており、ホック９ａを外すことによりガードル１の股部分７を開放することができる。
【００２５】
図６は、ガードル１の股部分７のホック９ａを外すことにより、ガードル１の股部分７を開放した状態を示す図である。
【００２６】
図１ではホック９ａの下に隠れていたホック９ｂが図６では示されている。図６のように股部分７を開放した状態で、使用者はガードル１下の下着を着脱することができる。
【００２７】
図１〜５に示されるように、コルセット２１は使用者の腰に巻きつくことができるように帯状の形状を有する。コルセット２１の中央部分には、その使用者の腰を支持するための支持部材（固定部材）２７が取り付けられている。
【００２８】
また、使用者から見てコルセット２１の左端部の前側には、面状ファスナ２３が取り付けられている。また、使用者から見てコルセット２１の右端部の後ろ側には、面状ファスナ２５が取り付けられている。
【００２９】
面状ファスナは、フック状（それと同様のマッシュルーム状、鋸歯状を含む）に起毛された側と、ループ状に起毛された側とのペアから構成される。フック状に起毛された側は、レース（糸を編むことによる模様）などの部分に引っ掛かりやすく、引っかかった場合にレースを痛めてしまう場合が多い。
【００３０】
そこで、レース３の部分に接触することが多い面状ファスナ２３としては、ループ状に起毛された側を用い、レース３の部分に接触することが少ない面状ファスナ２５としては、フック状に起毛された側を用いることが望ましい。このようにすると、図１の状態から面状ファスナ２３が使用者の腹部側に移動することで、面状ファスナ２３がレース３と接触しても、面状ファスナ２３がレース３に引っ掛かることが防止される。
【００３１】
一方、図２の状態から面状ファスナ２５が使用者の腹部側に移動しても、背部側に移動しても、そのフック状の起毛はレース３に引っ掛かることはない。
【００３２】
図７は、コルセット２１を腰部分に巻きつけて固定した状態を示す図である。
【００３３】
コルセット両端部の面状ファスナ２３，２５が付着することで、コルセットは使用者の腰部分に固定される。これにより、使用者の腰が支持・固定される。また、この状態で股部分７のホック９ａを外すことにより、使用者はガードル１の股部分７を開放することができる。
【００３４】
さらに使用者は、図７のようにガードルおよびコルセット２１を装着した状態から、面状ファスナを外すことにより、図１のようにコルセット２１を開放状態とすることができる。
【００３５】
［第２の実施の形態］
本実施形態のコルセット付きガードルにおけるコルセット２１は、使用者の腰部を支持する機能を有する。また、コルセット２１の素材は、腰に巻きつく方向（図１における左右方向）に伸縮する。また、この支持部材２７は、可撓性を有する部材であり、より好ましくは弾性を有する部材である。このため、このコルセット付きガードルは、使用者の腰部を支持するとともに、使用者の腰部の動きが必要以上に阻害されることがない。従って、使用者の使用感が格段に向上される。
【００３６】
また、本実施形態においても、面状ファスナ２３および面状ファスナ２５によりコルセット２１が装着・開放可能とされているため、このコルセット付きガードルは使用者の腹囲又は腰囲の変化等の体型変化にも対応可能となっている。また、コルセット２１の中央部分に支持部材２７が取り付けられているため、このコルセット付きガードルは腰椎に沿って真直ぐに腰を支持することができる。
【００３７】
なお、好ましくは、このコルセット２１は、装着状態（使用者の腰部に巻き付いた状態）で使用者の腰椎の少なくとも一部を支持し得るようにガードル１に固定されている。さらに好ましくは、使用者の第３腰椎から第５腰椎を支持し得る位置にガードル１に固定されている。腰痛の原因の多くは、腰椎（特に第３腰椎から第５腰椎）に負担がかけられることによって生じるためである。また、このコルセット２１は、中央部がガードル１の背面中央部と一致するようにガードル１に固定されることが好ましい。コルセット２１が使用者の腰部分を支持する確度をより一層高め得るためである。
【００３８】
［第３の実施の形態］
図８は、本発明の第３の実施の形態におけるコルセット付きガードルの背面図である。
【００３９】
本実施形態のコルセット付きガードルは、コルセット２１の代わりにコルセット２２１を備える点で、第１の実施の形態のコルセット付きガードルとは異なる。その他の構成は、第１の実施の形態と同一であるため、説明を繰り返さない。このコルセット２２１は、支持部材２２７がコルセット２２１の中央部分の両脇に各１本づつ取り付けられている。このため、本実施形態のコルセット付きガードルは、支持部材２７がコルセット２１の中央部分に取り付けられる第１の実施の形態よりも、使用者の腰部の動きが阻害されにくい。従って、使用者の使用感がより向上される。また、第１の実施の形態では、腰骨に沿って支持部材２７が取り付けられているため、腰骨に対し直接的な負担が課せられていた。これに対し、本実施形態では腰骨の両脇に支持部材２２７が取り付けられることにより、各支持部材２２７による使用者の腰部への負担も軽減される。
【００４０】
本実施形態においては、各支持部材２２７の中心位置はコルセット２２１の中央部分から左右に４ｃｍ〜９ｃｍ離れた位置（図８におけるＷ）に取り付けられている。なお、最適な位置は、コルセット２２１の中央部分から左右に６．５ｃｍ離れた位置である。ところで、コルセット２２１の中央部分から左右に４ｃｍ〜９ｃｍ離れた位置とは、腰部を支える筋肉と対向する位置である。このように、各支持部材２２７の中心位置がコルセット２２１の中央部分から４ｃｍ〜９ｃｍ離れた位置に取り付けられていることにより、腰部を支える筋肉が効率よく補助されることができる。
【００４１】
好ましくは、各支持部材２２７は、コルセット２２１に縫合、接着などにより固定される袋状部材２２８に出し入れ可能に収納されている。これにより、各使用者に合わせて撓力や弾性力の異なる支持部材２２７が収納されることが可能となる。また、左右異なる撓力や弾性力の支持部材２２７が収納されることも可能となる。また、左右異なる長さ又は幅の支持部材２２７が収納されることも可能となる。また、片方の袋状部材２２８にのみ支持部材２２７が収納されることも可能となる。さらに、支持部材２２７の劣化防止のためや、コルセット付きガードルの布地が痛むのを防止するために、袋状部材２２８から支持部材２２７を取り出して洗濯することも可能となる。このように、各支持部材２２７が袋状部材２２８に出し入れ可能に収納される場合には、様々な態様での利用が可能となり、便利である。
【００４２】
また、好ましくは、袋状部材２２８は開口部２２８ａを備え、その開口部２２８ａが装着状態で上方向に位置するように固定されている。支持部材２２７の落下防止、および出し入れ容易のためである。
【００４３】
［第４の実施の形態］
図９は、本発明の第４の実施の形態におけるコルセット付きガードルの背面図である。
【００４４】
本実施形態のコルセット付きガードルは、コルセット２２１の代わりにコルセット３２１を備える点で、第３の実施の形態のコルセット付きガードルとは異なる。その他の構成は、第３の実施の形態と同一であるため、説明を繰り返さない。このコルセット３２１は、支持部材３２７がコルセット３２１の中央部分およびその両脇に各１本づつ取り付けられている。このため、本実施形態のコルセット付きガードルは、支持部材２２７がコルセット２２１の中央部分の両脇に各１本づつ取り付けられる構成の第３の実施の形態よりも、強力に腰部を支持することができる。
【００４５】
［第５の実施の形態］
図１０は、本発明の第５の実施の形態におけるコルセット付きガードルの背面図である。
【００４６】
本実施形態のコルセット付きガードルは、コルセット２２１の上端がガードル１の上端よりも下方に位置するようにコルセット２２１がガードル１に固定されている。この点で、コルセット２１の上端とガードル１の上端とが一致するようにコルセット２１がガードル１に固定されている第３の実施の形態のコルセット付きガードルとは異なる。その他の構成は、第３の実施の形態と同一であるため、説明を繰り返さない。
【００４７】
本実施形態においては、コルセット２１の上端がガードル１の上端よりも下方に位置するようにコルセット２１がガードル１に固定されているため、使用者の第３腰椎から第５腰椎に対応する部分をより確実に支持することができる。
【００４８】
［第６の実施の形態］
図１１は、本発明の第６の実施の形態におけるコルセット付きガードルの正面図である。
【００４９】
本実施形態のコルセット付きガードルは、ガードル１の股部分７のホック９ａ，９ｂの数が２個である点で、ガードル１の股部分７のホック９ａ，９ｂの数が３個である第１の実施の形態のコルセット付きガードルとは異なる。その他の構成は、第１の実施の形態と同一であるため、説明を繰り返さない。
【００５０】
本実施形態においては、ガードル１の股部分７のホック９ａ，９ｂの数が２個であるため、股部分の装着・開放が容易となる。
【００５１】
［実施の形態における効果］
【００５２】
以上の実施の形態によると、ガードルの腰部にコルセットが取付けられる。ガードルは股部分を開放することができ、ガードル下に装着した下着を着脱する際に、その使用者はガードルを脱ぐ必要がなく、またコルセットを外す必要が無い。コルセットは、面状ファスナによりその左右部分を貼り付けることで、装着状態（利用者の腰部に巻き付いた状態）とすることができ、また面状ファスナを剥がすことで、開放状態とすることができる。コルセット付きガードルを、その利用者が身に着けた状態において、コルセットを開放しても、コルセットはガードルの背部に取り付けられているので、コルセットが落下することがない。
【００５３】
上述の通り、コルセットは腰を支持する機能を有するが、長く装着することによって腰の筋肉が弱くなる恐れがある。また、コルセットで腰を締め付けることによって血流が悪くなってしまうこともある。このため、長い間のコルセットの装着は避けた方が良い。すなわちコルセットは、必要に応じてこまめに緩めたり、装着したり外したりすることが望ましい。
【００５４】
本実施の形態では使用者がコルセットを緩めた場合でも、ガードルにコルセットが固定されているため、コルセットが落下することがない。これにより、使用者はコルセットを別途持ち運ぶ必要がなく、紛失することも防止される。また、コルセットの使用が必要となったときに、すぐに装着することができるという効果がある。
【００５５】
またコルセット使用者は、股部分７を開放することで、ガードル１下の下着を着脱することができるため、トイレにて用を足すとき、コルセットを取り外す必要がない。またコルセットを開放したとしてもガードルを着用していればコルセットが落下することがないため、取り外されたコルセットを近くに置いたり、引っかけておくなどする必要がなくなり便利である。
【００５６】
［その他］
【００５７】
なお、図７においては使用者から見てコルセット２１の左端部が前になる（ガードルの上にコルセット２１の右端部が位置し、その上にコルセット２１の左端部が位置する）こととしたが、使用者から見てコルセット２１の右端部が前になるようにしてもよい。この場合、面状ファスナの取付け位置を変えればよく、使用者から見てコルセット２１の右端部の前側に面状ファスナ２３を取り付け、使用者から見てコルセット２１の左端部の後ろ側に面状ファスナ２５を取り付ければよい。
【００５８】
また、上述した第１から第６の実施の形態において、コルセットの固定には面状ファスナを用いたが、ホックやフックなどを用いてもよい。但し、面状ファスナを用いると、自由な位置でコルセットの左右端部を接着することができるため、使用者にとって好ましい。
【００５９】
また、上述した第３から第５の実施の形態において、各支持部材２２７，３２７はコルセット２２１，３２１に固定される袋状部材２２８，３２８に出し入れ可能に収納されている。このように、各支持部材２２７，３２７が袋状部材２２８，３２８に出し入れ可能に収納される構成が他の実施の形態に採用されても良い。また、第３から第５の実施の形態における各支持部材２２７，３２７がコルセット２２１，３２１に固定される袋状部材２２８，３２８に出し入れ不可能に取り付けられても良い。但し、出し入れ可能に取り付けられている方が、上述のように便利である点で、有益である。
【００６０】
また、上述した第３および第４の実施の形態においては、支持部材２２７，３２７がコルセット２２１，３２１の中央部分の両脇に各１本づつ取り付けられているが、本発明はこのような支持部材２２７，３２７の取り付け形態に限定されない。支持部材２２７，３２７がコルセット２２１，３２１の中央部分の両脇に各２本以上づつ取り付けられていても、使用者の腰部を支持または固定することができる。また、支持部材２２７，３２７が左右異なる本数取り付けられていても、使用者の腰部を支持または固定することができる。
【００６１】
また、上述した第５の実施の形態においては、コルセット２２１の上端がガードル１の上端よりも下方に位置するようにコルセット２２１がガードル１に固定されているが、このような固定形態に限定されない。コルセット２２１の上端がガードル１の上端よりも上方に位置するようにコルセット２２１がガードル１に固定されていても、使用者の腰部を支持または固定することができる。但し、使用者の腰痛を緩和するために適切な位置にコルセット２２１が固定されることが好ましい。
【００６２】
また、上述した第６の実施の形態においては、ガードル１の股部分７のホック９ａ，９ｂの数が２個であるが、本発明はこのような個数に限定されない。ガードル１の股部分７のホック９ａ，９ｂの数は１個であっても４以上であっても、股部分の装着・開放ができる構成であれば採用可能である。但し、股部分の装着・開放の容易性を向上させつつ、股部分の装着状態の確実性を担保する点で、ガードル１の股部分７のホック９ａ，９ｂの数は２個であることが好ましい。
【００６３】
なおガードルは、ハードタイプであってもソフトタイプであってもよい。また、女性用に限らず男性用ガードルにも本発明を適用することができる。さらに、股部分を開放する機構を設けるのであれば、脚部まで丈のないもので腹部からヒップまでを覆うショートガードルにも、脚部まで丈があり腹部から太ももまでを覆うロングガードルにも本発明を適用することができる。
【００６４】
さらに、股部分もホックやスナップボタンではなく、面状ファスナを用いて開閉可能にしてもよい。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６６】
本発明は、使用者がガードルを装着した状態でコルセットを開放状態とすることができるコルセット付きガードルに好適に用いられる。
【符号の説明】
【００６７】
１  ガードル
３  レース
５ａ，５ｂ  使用者の足を通す穴
７  股部分
９ａ，９ｂ  ホック（スナップボタン）
１１  使用者の胴を通す穴
２１，２２１，３２１  コルセット
２３  面状ファスナ（ループ状に起毛された側）
２５  面状ファスナ（フック状に起毛された側）
２７，２２７，３２７  支持部材（固定部材）
２２８，３２７  袋状部材
２２８ａ，３２８ａ  開口部
【図１】
2010071170.tif 000003
【図２】
2010071170.tif 000004
【図３】
2010071170.tif 000005
【図４】
2010071170.tif 000006
【図５】
2010071170.tif 000007
【図６】
2010071170.tif 000008
【図７】
2010071170.tif 000009
【図８】
2010071170.tif 000010
【図９】
2010071170.tif 000011
【図１０】
2010071170.tif 000012
【図１１】
2010071170.tif 000013
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
ガードルと、
前記ガードルの腰部分に固定され、使用者の腰部を支持する機能を有するコルセットと、
前記ガードルの股部分を開放可能とする第１の開放機構と、
前記コルセットを装着・開放可能とする第２の開放機構とを備え、
前記第２の開放機構は、前記コルセットの左右端部のそれぞれに設けられ、前記コルセットの左右端部同士を付着させることで、前記コルセットを前記使用者の腰部に巻き付けて固定することができ、前記コルセットの左右端部同士を付け外しすることが可能な固定部材である、コルセット付きガードル。
【請求項２】
前記コルセットは、その中央部が前記ガードルの背面中央部と一致するように前記ガードルに固定される、請求項１に記載のコルセット付きガードル。
【請求項３】
前記固定部材は、面状ファスナであり、
前記ガードルには、前記面状ファスナのフック状に起毛された側が引っ掛かりやすい部分があり、
前記面状ファスナのフック状に起毛された部分は、前記引っ掛かりやすい部分に接触しないように取付けられる、請求項１又は２に記載のコルセット付きガードル。
【請求項４】
前記面状ファスナのフック状に起毛された側が引っ掛かりやすい部分は、糸を編むことによって形成された模様部分である、請求項３に記載のコルセット付きガードル。
【請求項５】
前記コルセットの中央部分又は中央部分の両脇には、その使用者の腰を支持するための支持部材が取り付けられている、請求項１から請求項４のいずれかに記載のコルセット付きガードル。
【請求項６】
前記支持部材は、前記コルセットに固定される袋状部材に出し入れ可能に収納されている、請求項５に記載のコルセット付きガードル。
【請求項７】
前記コルセットの上端が前記ガードルの上端よりも下方に位置するように前記コルセットが前記ガードルに固定されている、請求項１から請求項６のいずれかに記載のコルセット付きガードル。
【請求項８】
前記第１の開放機構は、前記ガードルの股部分に設けられたホックである、請求項１から７のいずれかに記載のコルセット付きガードル。
【手続補正書】
【提出日】平成23年10月11日(2011.10.11)
【手続補正２】
【補正対象書類名】特許請求の範囲
【補正対象項目名】全文
【補正方法】変更
【補正の内容】
【特許請求の範囲】
【請求項１】
ガードルと、
前記ガードルの腰部分であって、使用者の腰部に巻き付いた装着状態で、使用者の第３腰椎から第５腰椎を支持し得る位置に固定され、使用者の腰部を支持する機能を有する医療用コルセットであって、腰痛、ぎっくり腰、ヘルニアの場合に、腰への負担を軽減する目的で使用される装具である医療用コルセットと、
前記ガードルの股部分を開放可能とする第１の開放機構と、
前記医療用コルセットを装着・開放可能とする第２の開放機構とを備え、
前記第１の開放機構は、前記ガードルの股部分に設けられたホックであり、
前記第２の開放機構は、前記医療用コルセットの左右端部のそれぞれに設けられ、前記医療用コルセットの左右端部同士を付着させることで、前記医療用コルセットを前記使用者の腰部に巻き付けて固定することができ、前記医療用コルセットの左右端部同士を付け外しすることが可能な、使用者の腹囲又は腰囲の変化などの体型変化に対応可能な面状ファスナからなる固定部材であり、
前記医療用コルセットは、その中央部が前記ガードルの背面中央部と一致するように前記ガードルに固定され、
前記医療用コルセットの中央部分又は中央部分の両脇には、その使用者の腰を支持するための支持部材が取り付けられており、前記支持部材は腰椎に沿って真直ぐに腰を支持する、医療用コルセット付きガードル。
【請求項２】
前記固定部材は、面状ファスナであり、
前記ガードルには、前記面状ファスナのフック状に起毛された側が引っ掛かりやすい部分があり、
前記面状ファスナのフック状に起毛された部分は、前記引っ掛かりやすい部分に接触しないように取付けられる、請求項１に記載の医療用コルセット付きガードル。
【請求項３】
前記面状ファスナのフック状に起毛された側が引っ掛かりやすい部分は、糸を編むことによって形成された模様部分である、請求項２に記載の医療用コルセット付きガードル。
【請求項４】
前記支持部材は、前記医療用コルセットに固定される袋状部材に出し入れ可能に収納されている、請求項１に記載の医療用コルセット付きガードル。
【請求項５】
前記医療用コルセットの上端が前記ガードルの上端よりも下方に位置するように前記医療用コルセットが前記ガードルに固定されている、請求項１から請求項４のいずれかに記載の医療用コルセット付きガードル。
【国際調査報告】
2010071170.tif 000014
2010071170.tif 000015
2010071170.tif 000016
2010071170.tif 000017